(57)【要約】【課題】  煩雑な操作を必要とせず、容易に単語テストを行うことが可能な電子辞書を提供する。【解決手段】  電子辞書１は、各部の処理を制御する制御部１１と、ユーザの操作を入力する入力手段１２と、辞書情報を記憶する辞書記憶手段１３と、ユーザに表示すべき情報を表示する表示手段１４と、過去に検索された単語に関する履歴情報等を記憶する記憶手段１５とから構成される。入力手段１２はユーザからの操作を受け付け、単語テストで使用する単語の条件、単語テストの形式等の出題設定を制御部１１へ指定する。制御部１１は、出題設定にて指定された条件に合致する単語を抽出して単語帳に登録する。その後、制御手段１１は該出題設定に基づいて単語帳に登録された単語に対応する辞書情報を順次表示手段１４に表示し、単語テストを行う。【選択図】  図１
2007219824.tif 000002
【特許請求の範囲】
【請求項１】
文字情報を入力する文字情報入力手段と、
辞書情報を記憶した辞書情報記憶手段と、
前記文字情報入力手段により入力された文字情報に対応する単語の辞書情報を前記辞書情報記憶手段から検索する検索手段と、
前記検索された単語の辞書情報を表示する表示手段と、
前記検索手段により検索された単語の履歴を格納する履歴情報格納手段と、
抽出条件を指定する抽出条件指定手段と、
前記履歴情報格納手段に格納された単語から前記指定された抽出条件に該当する単語を抽出する抽出手段と、
前記抽出した単語を単語帳として使用されるデータ領域に登録する単語帳登録手段と
を具備することを特徴とする電子辞書。
【請求項２】
前記単語帳登録手段で登録された単語の辞書情報に基づいて作成したテスト問題を前記表示手段に表示するテスト問題表示手段をさらに具備することを特徴とする請求項１に記載の電子辞書。
【請求項３】
前記履歴情報格納手段は、前記検索手段により検索された単語の履歴及び該単語の検索された検索時刻を格納し、
前記抽出条件指定手段は、前記単語が検索された期間を抽出条件として指定することを特徴とする請求項１又は請求項２に記載の電子辞書。
【請求項４】
前記辞書情報記憶手段は、複数種類の辞書に対応した辞書情報を記憶し、
前記抽出条件指定手段は、前記単語が記憶された辞書の種類を抽出条件として指定することを特徴とする請求項１又は請求項２に記載の電子辞書。
【請求項５】
前記テスト問題表示手段は、前記単語帳登録手段に登録された単語の辞書情報の一部を非表示として前記表示手段に表示することを特徴とする請求項２に記載の電子辞書。
【請求項６】
文字情報を入力する文字情報入力手段と、辞書情報を記憶した辞書情報記憶手段と、表示手段とを具備する電子辞書の制御方法であって、
前記文字情報入力手段により入力された文字情報に対応する単語の辞書情報を前記辞書情報記憶手段から検索する検索手順と、
前記検索手順により検索された単語の履歴を格納する履歴情報格納手順と、
抽出条件を指定する抽出条件指定手順と、
前記履歴情報格納手順で格納された単語から前記指定された抽出条件に該当する単語を抽出する抽出手順と、
前記抽出した単語を単語帳として使用されるデータ領域に登録する単語帳登録手順と、
前記単語帳登録手順で登録された単語の辞書情報に基づいて作成したテスト問題を前記表示手段に表示するテスト問題表示手順と
からなることを特徴とする電子辞書の制御方法。
【発明の詳細な説明】
【技術分野】
【０００１】
本発明は、ユーザが検索した単語の履歴を保持する機能を備えた電子辞書及び電子辞書の制御方法に関する。
【背景技術】
【０００２】
従来、辞書機能を有する電子辞書においては、過去にユーザが検索した単語の履歴を保持する機能を備えたものが知られている（例えば、特許文献１参照）。さらに、検索した単語を単語帳データに登録し、単語帳データに登録された単語をアルファベット順や品詞順といった条件でソート可能とすることにより、単語帳としての機能を付加したものも開発されている（例えば、特許文献２参照）。また、この単語帳を用いて単語テストを行うことも知られている（例えば、特許文献３参照）。
【特許文献１】特開平０５−２３３６８４号公報
【特許文献２】特開平０７−２３４８７４号公報
【特許文献３】特開２００３−４３９０５号公報
【発明の開示】
【発明が解決しようとする課題】
【０００３】
しかし、上記従来の電子辞書では、検索した単語を単語帳に登録する際に、登録するという作業を登録すべき全ての単語に対して行わなければならない。そのため、ユーザが過去に電子辞書で検索した単語であっても、その単語を単語帳に登録する際には再度検索を行い単語帳への登録操作をする必要があり、単語テストを行うために単語帳を作成する作業が大変であるという課題があった。
本発明は上記事情を考慮してなされたもので、その目的は、煩雑な操作を必要とせず、容易に単語テストを行うことが可能な電子辞書を提供することにある。
【課題を解決するための手段】
【０００４】
本発明は上記の課題を解決するためになされたもので、本発明に係る電子辞書は、文字情報を入力する文字情報入力手段と、辞書情報を記憶した辞書情報記憶手段と、前記文字情報入力手段により入力された文字情報に対応する単語の辞書情報を前記辞書情報記憶手段から検索する検索手段と、前記検索された単語の辞書情報を表示する表示手段と、前記検索手段により検索された単語の履歴を格納する履歴情報格納手段と、抽出条件を指定する抽出条件指定手段と、前記履歴情報格納手段に格納された単語から前記指定された抽出条件に該当する単語を抽出する抽出手段と、前記抽出した単語を単語帳として使用されるデータ領域に登録する単語帳登録手段とを具備することを特徴とする。
【０００５】
また、本発明に係る電子辞書は、上記本発明において、前記単語帳登録手段で登録された単語の辞書情報に基づいて作成したテスト問題を前記表示手段に表示するテスト問題表示手段をさらに具備することを特徴とする。
【０００６】
また、本発明に係る電子辞書は、上記本発明において、前記履歴情報格納手段は、前記検索手段により検索された単語の履歴及び該単語の検索された検索時刻を格納し、前記抽出条件指定手段は、前記単語が検索された期間を抽出条件として指定することを特徴とする。
【０００７】
また、本発明に係る電子辞書は、上記本発明において、前記辞書情報記憶手段は、複数種類の辞書に対応した辞書情報を記憶し、前記抽出条件指定手段は、前記単語が記憶された辞書の種類を抽出条件として指定することを特徴とする。
【０００８】
また、本発明に係る電子辞書は、上記本発明において、前記テスト問題表示手段は、前記単語帳登録手段に登録された単語の辞書情報の一部を非表示として前記表示手段に表示することを特徴とする。
【０００９】
また、本発明に係る電子辞書の制御方法は、文字情報を入力する文字情報入力手段と、辞書情報を記憶した辞書情報記憶手段と、表示手段とを具備する電子辞書の制御方法であって、前記文字情報入力手段により入力された文字情報に対応する単語の辞書情報を前記辞書情報記憶手段から検索する検索手順と、前記検索手順により検索された単語の履歴を格納する履歴情報格納手順と、抽出条件を指定する抽出条件指定手順と、前記履歴情報格納手順で格納された単語から前記指定された抽出条件に該当する単語を抽出する抽出手順と、前記抽出した単語を単語帳として使用されるデータ領域に登録する単語帳登録手順と、前記単語帳登録手順で登録された単語の辞書情報に基づいて作成したテスト問題を前記表示手段に表示するテスト問題表示手順とからなることを特徴とする。
【発明の効果】
【００１０】
本発明によれば、過去にユーザによって検索された単語の履歴情報を用いて単語テストを行うことが可能であるため、単語テストで使用する単語を単語帳に登録する作業を必要とせず、容易に単語テストを行うことができる。また、単語テストを行うことで同時に単語帳を作成することができる。
【００１１】
また、単語又は該単語に対応する辞書情報の一部を非表示とする手段を設けることで、ユーザが暗記すべき情報を非表示にしてテストを行うことが可能となるため、ユーザは効率的に学習を行うことができる。
【発明を実施するための最良の形態】
【００１２】
以下、図面を参照して本発明の実施形態について説明する。図１は、本発明の実施形態に係る電子辞書の構成を示す構成図である。
【００１３】
図１において、制御手段１１は、電子辞書１内の各部における処理を制御するものである。また、制御手段１１は、入力手段１２により入力された文字列に対応する単語を辞書情報記憶手段１３から検索する機能（検索手段）を備えている。入力手段１２（文字情報入力手段）は、アルファベットや数字等を記した文字入力のためのキーや、ユーザが電子辞書１への制御を指定するためのファンクションキー等から構成される。
【００１４】
辞書記憶手段１３は、電子辞書１で使用する英和辞典等の辞書情報を保持するメモリである。表示手段１４は、制御手段１１からの指示に従い、ユーザに示すべき情報を表示する液晶等のディスプレイである。
【００１５】
記憶手段１５は、制御手段１１が使用するメモリであり、一時的に情報を記憶する際に使用するものである。記憶手段１５には過去に検索された単語に関する履歴情報が記憶されるデータ領域（履歴情報記憶手段）及び、特定の単語に関する辞書情報を登録した単語帳等が記憶されるデータ領域が存在する。なお、制御手段１１は時刻情報を管理する機能を備えており、履歴情報には見出し語の情報と共に検索された時刻情報（検索時刻）が記憶される。
【００１６】
次に、上述した実施形態の動作を図２から図５を参照して説明する。
図２は、電子辞書１が保持する履歴情報から単語帳の作成を行い、その単語帳を用いて単語テストを行う際のフローチャートである。図３は、図２のステップＳ２０６において制御手段１１が行う処理を示すフローチャートである。図４及び図５は、図２及び図３のフローチャートにおいて、表示手段１４に表示される画面の一例を示す図である。
【００１７】
入力手段１２はユーザからの操作による入力を受け付け、履歴情報を用いた単語テストを開始する指示を制御手段１１に対して行う。制御手段１１は図４（ａ）に示す画面を表示手段１４に表示する。続いて、入力手段１２はユーザからの操作による入力を受け付け、選択する辞書の種類を制御手段１１に対して指定する（ステップＳ２０１）。
【００１８】
入力手段１２から選択する辞書の種類を入力すると、制御手段１１は図４（ｂ）に示す画面を表示手段１４に表示し、現在の出題設定とともに、ユーザに対して出題設定の確認を促す旨を表示する（ステップＳ２０２）。続いて、入力手段１２はユーザからの操作による入力を受け付け、出題設定を変更するか否かを制御手段１１に指示する。
【００１９】
図４（ｂ）の画面では、単語テストで出題する単語が検索された期間、出題する順序、出題の形式及び解答入力について入力手段１２はユーザの指示を入力する。期間の指定は、例えば、「今日検索した単語」や「最近１週間に検索した単語」の条件で行い、制御手段１１は、指定された期間内に検索され履歴情報として残っている単語をテストの対象として単語帳に登録する。本実施形態では、入力手段１２が期間として「今日検索した単語」の指定を入力した場合について説明する。
【００２０】
図６に記憶手段１５で記憶される履歴情報のデータ構造の一例を、図７に履歴情報から作成される単語帳のデータ構造の一例示す。履歴情報のデータ構造は、単語が登録されている辞書の種類と対応付けられる辞書ＩＤ、該単語に割り当てられた見出しＩＤ、該単語が検索された日付及び時刻からなる。一方、単語帳のデータ構造は、単語が登録されている辞書の種類と対応付けられる辞書ＩＤ、該単語に割り当てられた見出しＩＤ、該単語が検索された日付及び時刻、最近のテスト結果に関する情報からなる。
【００２１】
図７では、図６の履歴情報に登録された全単語が単語帳に登録されているが、例えば「今日（２００６／０２／０１）に検索した単語」の条件指定を入力手段１２が入力した場合には、制御手段１１は図６のデータ構造において検索日時が２００６／０２／０１である２つの単語（見出し語ＩＤが００３５３２と００７６５４の２つの単語）のみを単語帳に登録する。
【００２２】
出題する順序の指定では、制御手段１１が単語テストにおいて出題を行う単語の順序を指定する。本実施形態では、検索した時刻が「新しい順」にソートする場合について説明する。出題の形式の指定では、制御手段１１が各単語に対応付けられた辞書情報をどのように加工して表示するかを指定する。本実施形態では、制御手段１１が辞書情報に対して「見出し語を隠す」加工を行った上で表示手段１４へと表示する場合について説明する。
【００２３】
解答入力の指定は、テストの際に入力手段１２がユーザの操作による解答入力を受け付ける否かを指定する。本実施形態では、入力手段１２がユーザの操作による解答入力を受け付ける場合について説明する。
【００２４】
図２のフローチャートに戻って、入力手段１２が出題設定の変更を行うことを制御手段１１に指示した場合は（ステップＳ２０３：Ｙｅｓ）、制御手段１１は設定変更画面（図示せず）を表示手段１４に表示する。続いて、入力手段１２はユーザからの操作による入力を受け付け、設定の変更を制御手段１１に指示する。一方、ステップＳ２０３で入力手段１２が出題設定の変更を行わないことを制御手段１１に指示した場合、又はステップＳ２０４で制御手段１１が出題設定の変更を終了した場合には、制御手段１１は出題設定で指定された条件に基づいて履歴情報から単語を抽出し（抽出手段）、抽出された単語を単語帳に登録する（ステップＳ２０５：単語帳登録手段）。
【００２５】
本実施形態では、制御手段１１は履歴情報に登録された単語から、その検索された時刻情報が「今日」である単語を抽出し、さらに、その時刻情報が新しい順に並び替えて単語帳に登録する。
【００２６】
すなわち、本実施形態では、制御手段１１は単語テスト用の単語帳に登録する単語の抽出条件として、その単語が登録された辞書の種類と、検索された期間の情報を用いる。そのため、履歴として保存された単語から、「英和辞典の単語」かつ「今日検索した単語」や、「和英辞典の単語」かつ「最近１週間に検索した単語」といった条件に該当する単語を抽出し、この抽出した単語をまとめて単語帳に登録することが可能である。よって、一語ずつ単語帳に登録する必要があった従来の電子辞書と比較して、煩雑な登録操作を必要とすることなく効率的に単語帳の作成を行うことができる。
【００２７】
単語帳の作成が終了すると、ステップＳ２０３又はステップＳ２０４で行った設定に従い、単語帳の先頭に登録された単語（検索された時刻が最も新しい単語）から順次、当該単語に対応する辞書情報に対して見出し語部分を隠す加工を行った後に、表示手段１４に表示して単語テストを実施する（ステップＳ２０６）。単語テストが終了すると、制御手段１１は一連の単語テストの結果を表示手段１４に表示する（ステップＳ２０７）。
【００２８】
続いて、図３を参照し、ステップＳ２０６における制御手段１１の処理を詳細に説明する。
制御手段１１は、試験回数カウンタ及び正解回数カウンタを０にセットし、履歴情報に登録された単語の中から、検索された日時が最も新しい単語に対応する辞書情報を表示手段１４に表示する（ステップＳ３０１）。ここで、制御手段１１は、当該辞書情報から見出し語の表示を隠す加工を行い（表示制御手段）、ユーザの入力するエリアを設けた上で図４（ｃ）に示す画面を表示手段１４に表示する（テスト問題表示手段）。この場合、ユーザは隠された見出し語を解答することになる。
【００２９】
続いて、入力手段１２はユーザからの操作による解答入力を受け付け、その解答入力を制御手段１１へと出力する。制御手段１１は入力手段１２から解答入力を入力するまで待機し、入力した場合には（ステップＳ３０２：Ｙｅｓ）、続いて正解判定を行う（ステップＳ３０３）。なお、本実施形態では、制御手段１１が正解判定を行う形態としているが、ユーザが正解判定を行う形態としてもよい。
【００３０】
ステップＳ３０２における解答入力と上記隠された見出し語とが一致する場合には、制御手段１１は正解と判定し、正解回数カウンタを１増やした上で図５（ｄ）に示す画面を表示手段１４に表示する。一方、解答入力と上記隠された見出し語とが一致しなかった場合には、制御手段１１は不正解と判定し、制御手段１１は不正解である旨を表示手段１４に表示する。
【００３１】
以上で１つの単語に対するテストが終了し、制御手段１１は試験回数カウンタを１増やし、単語帳のステップＳ３０３における正解判定の結果を記録する。続いて制御手段１１は単語帳から次にテストすべき単語があるかを判定する（ステップＳ３０４）。以降、単語帳に登録された全ての単語に対するテストが終わるまで、制御手段１１はステップＳ３０１〜ステップＳ３０４の処理を繰り返し実行する。
【００３２】
単語帳に登録された全ての単語に対するテストが終了すると、制御手段１１は次に表示すべき項目は無いと判断し（ステップＳ３０４：Ｎｏ）、図３のフローチャートを終了する。この後、図２に戻って、制御手段１１は単語テストの結果として試験回数カウンタの値と正解回数カウンタの値とを表示手段１４に表示する（ステップＳ２０７）。図５（ｅ）に示す画面が、表示手段１４に試験結果を表示する際の画面の一例である。
【００３３】
ここで、入力手段１２はユーザからの操作による入力を受け付け、続けて単語テストを行うか否かを制御手段１１に指示する。入力手段１２が続けて単語テストを行うよう制御手段１１に指示すると、図４（ａ）に示す画面へと戻り図２のステップＳ２０１から処理が再開される。一方、入力手段１２が続けて単語テストを行わないことを制御手段１１に指示すると、単語テストの処理を終了する。
【００３４】
本実施形態は、過去に検索された単語の履歴情報から所定の条件（辞書の種類や検索した時刻等）に合致するかで必要となる単語のみを抽出して自動的に単語帳に登録するため、単語帳作成のためにユーザが面倒な操作をする必要が無い。このため、自動的に作成された単語帳を利用して容易に単語テストを実施することが可能となり、ユーザは効率的に学習を行うことができる。
【００３５】
以上、本発明の実施形態を詳述してきたが、具体的な構成は本実施形態に限られるものではなく、本発明の要旨を逸脱しない範囲の設計変更等も含まれる。例えば、本発明は電子辞書に限らず、辞書機能を搭載した携帯電話機等の電子機器にも適用可能である。
【産業上の利用可能性】
【００３６】
本発明は、辞書機能を備えた電子辞書、携帯電話機等の電子機器に用いて好適である。
【図面の簡単な説明】
【００３７】
【図１】本発明の実施形態に係る電子辞書の構成を示す構成図である。
【図２】図１の電子辞書１において、単語テストを行う際のフローチャートである。
【図３】図２のステップＳ２０６において、図１の制御手段１１が行う処理を示すフローチャートである。
【図４】図２及び図３のフローチャートにおいて、図１の表示手段１４に表示される画面の一例を示す図である。
【図５】図２及び図３のフローチャートにおいて、図１の表示手段１４に表示される画面の一例を示す図である。
【図６】図１の記憶手段１５で記憶される履歴情報のデータ構造の一例を示す図である。
【図７】図１の記憶手段１５で記憶される単語帳のデータ構造の一例を示す図である。
【符号の説明】
【００３８】
１…電子辞書、１１…制御手段、１２…入力手段、１３…辞書記憶手段、１４…表示手段、１５…記憶手段
【図１】
2007219824.tif 000003
【図２】
2007219824.tif 000004
【図３】
2007219824.tif 000005
【図４】
2007219824.tif 000006
【図５】
2007219824.tif 000007
【図６】
2007219824.tif 000008
【図７】
2007219824.tif 000009